(57)【要約】  所定の帯域幅を有する複数のセルを運用する基地局に、自局のカバーするエリアに在圏する移動局の対応できる帯域幅を示す移動局能力情報が通知され、前記移動局能力情報に基づいて、該移動局能力情報に対応する移動局を移行させる移行先セルを決定する移行先セル決定手段と、前記移行先セルを、前記移動局に通知する通知手段と備えることにより達成される。
2008023613.tif 000002
【特許請求の範囲】
【請求項１】
所定の帯域幅を有する複数のセルを運用し、
自局のカバーするエリアに在圏する移動局の対応できる帯域幅および周波数帯域のうち少なくとも一方を示す移動局能力情報が通知され、
前記移動局能力情報に基づいて、移動局を移行させる移行先情報として、該移動局能力情報に対応する移動局を移行させる移行先セルおよびセルレイヤの一方を決定する移行先決定手段；
前記移行先情報を、前記移動局に通知する通知手段；
を備えることを特徴とする基地局。
【請求項２】
請求項１に記載の基地局において：
前記移動局能力情報は、移動局が自局の対応できる帯域幅および周波数帯域のうち少なくとも一方を示す情報を接続要求に含めて送信することにより通知されることを特徴とする基地局装置。
【請求項３】
請求項１に記載の基地局において：
前記移動局能力情報は、上位局から通知されることを特徴とする基地局。
【請求項４】
請求項１に記載の基地局において：
各セルにおけるトラヒック状況を測定する負荷測定手段；
を備え、
前記移行先決定手段は、測定されたトラヒック状況に基づいて、移動局を移行させる移行先セルおよびセルレイヤの一方を決定することを特徴とする基地局。
【請求項５】
請求項１に記載の基地局において：
前記移行先決定手段は、各セルの運用帯域幅に基づいて、移動局を移行させる移行先セルおよびセルレイヤの一方を決定することを特徴とする基地局。
【請求項６】
請求項１に記載の基地局において：
前記移行先決定手段は、各セルにおける残りの無線リソースに基づいて、移動局を移行させる移行先セルおよびセルレイヤの一方を決定することを特徴とする基地局。
【請求項７】
基地局が自局のカバーするエリアに在圏する移動局の対応できる帯域幅および周波数帯域のうち少なくとも一方を示す移動局能力情報に基づいて、該移動局能力情報に対応する移動局を移行させる移行先セルおよびセルレイヤの一方を決定し、
前記基地局より通知された移行先セルおよびセルレイヤの中から選択されたセルの一方との回線設定を行う制御プレーン処理手段；
を備えることを特徴とする移動局。
【請求項８】
請求項７に記載の移動局において：
自局の対応できる帯域幅および周波数帯域のうち少なくとも一方を示す移動局能力情報を記憶する記憶手段；
接続要求に前記移動局能力情報を含めて通知する接続要求通知手段；
を備え、
前記制御プレーン処理手段は、前記接続要求通知手段により通知された前記移動局能力情報に基づいて決定された自局を移行させる移行先セルおよびセルレイヤの中から選択されたセルの一方との回線設定を行うことを特徴とする移動局。
【請求項９】
基地局が、所定の帯域幅を有する複数のセルを運用し、自局のカバーするエリアに在圏する移動局の対応できる帯域幅および周波数帯域のうち少なくとも一方を示す移動局能力情報を取得する移動局能力情報取得ステップ；
前記基地局が、前記移動局能力情報に基づいて、該移動局能力情報に対応する移動局を移行させる移行先セルおよびセルレイヤの一方を決定する移行先セル決定ステップ；
基地局が、前記移行先セルおよびセルレイヤの一方を、前記移動局に通知する通知ステップ；
を有することを特徴とする移行先セル設定方法。
【発明の詳細な説明】
【技術分野】
【０００１】
本発明は、ＬＴＥ（Ｌｏｎｇ  Ｔｅｒｍ  Ｅｖｏｌｕｔｉｏｎ）システムに関し、特に基地局および移動局並びに移行先セル設定方法に関する。
【背景技術】
【０００２】
次世代の移動通信システムとして、１００Ｍｂｐｓでのデータ伝送が可能な移動通信システムであるＬＴＥ（Ｌｏｎｇ  Ｔｅｒｍ  Ｅｖｏｌｕｔｉｏｎ）の研究開発が進められている。【０００３】
このＬＴＥシステムでは、図１に示すように、最初は少ないキャリア数で運用が開始される。例えば、バンドＡでの運用が行われ、数年後周波数が足りなくなった場合に、新たなバンドＢのライセンスをとるか、あるいは現在運用されている３Ｇで使用されているバンドをＬＴＥに変更することで、バンドＡおよびＢで運用される状況になってくることが予想される。さらに、将来的には、バンドＣおよびＤでの運用も開始されると予想される。ここで、バンドとは、ＬＴＥシステムが運用される周波数帯域を示し、例えば８００ＭＨｚ帯、２ＧＨｚ帯である。また、キャリアとは、各周波数帯域で運用されるシステムの帯域幅を示し、ＬＴＥでは、１．２５ＭＨｚ、２．５ＭＨｚ、５ＭＨｚ、１０ＭＨｚ、１５ＭＨｚおよび２０ＭＨｚのいずれかに対応できることが要求されている。【０００４】
このような状況では、バンドＡでの送受信能力を有する移動局（ＵＥ：  Ｕｅｓｒ  Ｅｑｕｉｐｍｅｎｔ）（以下、Ｂａｎｄ  Ａ  ｃａｐａｂｌｅ  ＵＥとよぶ）しか存在していなかったのが、数年後には、バンドＡおよびＢでの送受信能力を有する移動局（以下、Ｂａｎｄ  Ａ＋Ｂ  ｃａｐａｂｌｅ  ＵＥとよぶ）が存在するようになる。Ｂａｎｄ  Ａ  ｃａｐａｂｌｅ  ＵＥは、バンドＢが導入されても、バンドＢでの送受信はできない。【０００５】
将来的には、バンドＡ、Ｂ、ＣおよびＤでの送受信能力を有する移動局（以下、Ｂａｎｄ  Ａ＋Ｂ＋Ｃ＋Ｄ  ｃａｐａｂｌｅ  ＵＥとよぶ）が存在するようになる。すなわち、同じオペレータのネットワークであるが、複数のバンド、複数のキャリアで運用され、かつ異なる送受信能力を有する移動局が共存する状況となってくる。【０００６】
このような状況となった場合に、異なる移動局の送受信能力に対応した負荷分散、すなわちロードバランシングが必要である。例えば、複数のバンドや、キャリアが存在した場合に、あるバンド、またあるキャリアに移動局が偏ってしまうと、他のバンド、キャリアに空きがあるのに集中したキャリアで送受信処理が実行され、その結果通信品質の劣化が生じる。【０００７】
ロードバランシングには、アクティブであるユーザ、すなわち通信中のユーザを均等に分散させるトラヒックロードバランシング（Ｔｒａｆｆｉｃ  ｌｏａｄ  ｂａｌａｎｃｉｎｇ）と、アイドルであるユーザ、すなわち待ち受け中のユーザを均等に分散させるキャンプロードバランシング（Ｃａｍｐ  ｌｏａｄ  ｂａｌａｎｃｉｎｇ）がある。【０００８】
ロードバランシングに関して、ＵＭＴＳのセル設計に関して、ＵＭＴＳ−ＧＳＭ間のバランシングについて述べたものがある（例えば、非特許文献１参照）。【０００９】
また、ＬＴＥ−ＵＭＴＳ間のバランシングについて、特に複数のオペレータがネットワークを共用する場合について述べたものがある（例えば、非特許文献２参照）。【００１０】
しかし、トラヒックロードバランシング、キャンプロードバランシングを区別した観点で議論したものはない。
【非特許文献１】J. Laiho, A. Wacker, and T. Novosad, "Radio Network Planning and Optimisation for UMTS", John Wiley & Sons, Chichester, 2002, p.229-231.
【非特許文献２】Ｔ−Ｍｏｂｉｌｅ，  Ｒ２−０６０９３４，  "Ｌｏａｄ  ｓｈａｒｉｎｇ  ｕｓｉｎｇ  ｃｅｌｌ  ｒｅｓｅｌｅｃｔｉｏｎ，"，  ＴＳＧ−ＲＡＮ  ＷＧ２  ＃５２，  Ａｔｈｅｎｓ，  Ｍａｒｃｈ  ２７−３１，  ２００６
【発明の開示】
【発明が解決しようとする課題】
【００１１】
ＬＴＥでは、移動局の送受信能力、セルの運用帯域幅、セルの負荷状況の全てを勘案しなければ、適切なセル選択ができない問題がある。ロードバランシングにおける移行先セルの選択をネットワークが行う場合にも、移動局の送受信能力をネットワークが把握していなければ、適切なセルを移行先セルに指定できない問題がある。【００１２】
そこで、本発明は、上述した問題点を解決するためになされたものであり、移動局の能力に応じて、適切なロードバランシングを行うことができる基地局および移動局並びに移行先セル設定方法を提供することにある。
【課題を解決するための手段】
【００１３】
上記課題を解決するため、本発明の基地局は、
所定の帯域幅を有する複数のセルを運用し、
自局のカバーするエリアに在圏する移動局の対応できる帯域幅および周波数帯域のうち少なくとも一方を示す移動局能力情報が通知され、
前記移動局能力情報に基づいて、移動局を移行させる移行先情報として、該移動局能力情報に対応する移動局を移行させる移行先セルおよびセルレイヤの一方を決定する移行先決定手段；
前記移行先情報を、前記移動局に通知する通知手段；
を備えることを特徴の１つとする。【００１４】
このように構成することにより、移動局の対応できる帯域幅および周波数帯域のうち少なくとも一方を示す移動局能力情報に基づいて、該移動局能力情報に対応する移動局を移行させる移行先セルおよびセルレイヤの一方を決定することができる。【００１５】
本発明の移動局は、
基地局が自局のカバーするエリアに在圏する移動局の対応できる帯域幅および周波数帯域のうち少なくとも一方を示す移動局能力情報に基づいて、該移動局能力情報に対応する移動局を移行させる移行先セルおよびセルレイヤの一方を決定し、
前記基地局より通知された移行先セルおよびセルレイヤの一方との回線設定を行う制御プレーン処理手段；
を備えることを特徴の１つとする。【００１６】
このように構成することにより、基地局により通知された移行先セルおよびセルレイヤの一方と回線設定を行うことができる。【００１７】
本発明の移行先セル設定方法は、
基地局が、所定の帯域幅を有する複数のセルを運用し、自局のカバーするエリアに在圏する移動局の対応できる帯域幅および周波数帯域のうち少なくとも一方を示す移動局能力情報を取得する移動局能力情報取得ステップ；
前記基地局が、前記移動局能力情報に基づいて、該移動局能力情報に対応する移動局を移行させる移行先セルおよびセルレイヤの一方を決定する移行先セル決定ステップ；
基地局が、前記移行先セルおよびセルレイヤの一方を、前記移動局に通知する通知ステップ；
を有することを特徴の１つとする。【００１８】
このように構成することにより、移動局能力情報に基づいて、該移動局能力情報に対応する移動局を移行させる移行先セルおよびセルレイヤの一方を決定することができる。
【発明の効果】
【００１９】
本発明の実施例によれば、移動局の能力に応じて、適切なロードバランシングを行うことができる基地局および移動局並びに移行先セル設定方法を実現できる。
【図面の簡単な説明】
【００２０】
【図１】ＬＴＥシステムにおいて想定されるバンドの増加を示す説明図である。
【図２】セルのタイプを示す説明図である。
【図３】セル、セルセット、セルレイヤを示す説明図である。
【図４】本発明の一実施例にかかる移動通信システムの動作を示すフロー図である。
【図５】本発明の一実施例にかかる移動局が送信する移動局の能力の一例を示す説明図である。
【図６】本発明の一実施例にかかる移動通信システムの動作を示すフロー図である。
【図７】本発明の一実施例にかかる移行先セルの選択方法を示す説明図である。
【図８】本発明の一実施例にかかる基地局を示す部分ブロック図である。
【図９】本発明の一実施例にかかる移動局を示す部分ブロック図である。
【符号の説明】
【００２１】
１００  基地局
１０２  送受共用部
１０４  ドミナントセル処理部
１０６、１１０、１１８、２０２  ＲＦ回路
１０８、１１２、１２０  ユーザプレーン処理部
１１０、１１４、１２２  負荷測定部
１１６、１２４  サブオーディネートセル処理部
１２６  移行先セル決定部
１２８、２０４  制御プレーン処理部
１３０  ネットワーク  インタフェース
２０６  移動局能力記憶部
【発明を実施するための最良の形態】
【００２２】
次に、本発明を実施するための最良の形態を、以下の実施例に基づき図面を参照しつつ説明する。
なお、実施例を説明するための全図において、同一機能を有するものは同一符号を用い、繰り返しの説明は省略する。【００２３】
本発明の実施例にかかる基地局および移動局が適用される移動通信システムについて、図２を参照して説明する。【００２４】
本実施例にかかる移動通信システムは、基地局（ｅＮＢ：  ｅＮｏｄｅ  Ｂ）と移動局（ＵＥ：  Ｕｓｅｒ  Ｅｑｕｉｐｍｅｎｔ）とを備える。【００２５】
基地局では、１または複数のバンドで、複数のキャリア、例えば２０ＭＨｚのキャリア、１０ＭＨｚのキャリア、５ＭＨｚのキャリアなどがオペレータにより運用される。例えば、ＬＴＥにより、ライセンスを受けた周波数帯が運用される。
ここで、上述したように、バンドとは、ＬＴＥシステムが運用される周波数帯域を示し、例えば８００ＭＨｚ帯、２ＧＨｚ帯である。また、キャリアとは、各周波数帯域で運用されるシステムの帯域幅を示し、ＬＴＥでは、１．２５ＭＨｚ、２．５ＭＨｚ、５ＭＨｚ、１０ＭＨｚ、１５ＭＨｚおよび２０ＭＨｚのいずれかに対応できることが要求されている。すなわち、１キャリアの帯域幅として、１．２５ＭＨｚ、２．５ＭＨｚ、５ＭＨｚ、１０ＭＨｚ、１５ＭＨｚおよび２０ＭＨｚのいずれかが選択される。【００２６】
図２には、１つのバンド内で、複数のキャリアが運用される例を示している。この例では、１つのバンド内で、２０ＭＨｚ、１０ＭＨｚ、５ＭＨｚおよび２０ＭＨｚのキャリアが運用されている。キャリアはセルとも呼ばれる。【００２７】
１つのバンドで運用される複数のキャリアのうち、あるキャリア、例えば２０ＭＨｚのキャリアでのみ報知情報を送信するブロードキャストチャネル（ＢＣＨ）と、ページングを送信するページングチャネル（ＰＣＨ）が送信される。残りのキャリアでは、ページングチャネルは送信されず、ブロードキャストチャネルの送信は行われるが、該ブロードキャストで送信される情報は、必要最小限の情報に限られる。必要最小限の情報には、例えばシステムフレームナンバー（ｓｙｓｔｅｍ  ｆｒａｍｅ  ｎｕｍｂｅｒ）、ランダムアクセス規制情報（ｄｙｎａｍｉｃ  ｐｅｒｓｉｓｔｅｎｃｅ  ｌｅｖｅｌ  ｆｏｒ  ｒａｎｄｏｍ  ａｃｃｅｓｓ  ｃｏｎｔｒｏｌ）およびブロードキャストチャネルおよびページングチャネルを送信しているキャリアの位置を示す情報（  ａｓｓｏｃｉａｔｅｄ  ｄｏｍｉｎａｎｔ  ｃｅｌｌ  ｃａｒｒｉｅｒ  ｆｒｅｑｕｅｎｃｙ  ｃｏｄｅ）が含まれる。【００２８】
上述したように、ブロードキャストチャネルとページングチャネルとを送信するキャリア、およびページングチャネルは送信せずに、ブロードキャストチャネルで必要最小限の情報を送信するキャリアとが存在する。この２種類のキャリア（セル）をそれぞれドミナントセル（ｄｏｍｉｎａｎｔｏ  ｃｅｌｌ）、およびサブオーディネートセル（ｓｕｂｏｒｄｉｎａｔｅ  ｃｅｌｌ）と呼ぶ。すなわち、ドミナントセルは、移動局がアイドル中に待ち受けることも、アクティブ中に通信することもできるセルであり、同期チャネル、ブロードキャストチャネル、ページングチャネル、その他のチャネルを送信できる。サブオーディネートセルは、移動局がアイドル中の待ち受けはできないが、アクティブ中に通信することができるセルであり、同期チャネル、ブロードキャストチャネルを送信できる。【００２９】
また、同じ基地局で運用される同一バンド（周波数帯）に含まれるセルの組をセルセットと呼ぶ。セルセットには、少なくとも１つのドミナントセルを含む。また、セルセットには１以上のサブオーディネートセルが含まれるようにしてもよい。【００３０】
例えば、図３に示すように、１基の基地局（ｅＮＢ１）があり、その基地局ではバンド  Ａ（Ｂａｎｄ  Ａ）とバンド  Ｂ（Ｂａｎｄ  Ｂ）が運用されている。さらに、バンド  Ａは３つのキャリア（セル）、すなわち、ｆＡ１、ｆＡ２およびｆＡ３が運用され、バンド  Ｂは２つのキャリア、すなわち、ｆＢ１およびｆＢ２が運用されている。たとえば、ｆＡ１、ｆＡ２、ｆＡ３、ｆＢ１およびｆＢ２は１０ＭＨｚである。また、ｆＡ１、ｆＡ２、ｆＡ３、ｆＢ１およびｆＢ２は、５ＭＨｚであってもよいし、２０ＭＨｚであってもよい。【００３１】
図３において、ｆＡ１およびｆＢ１がドミナントセルである。また、ｆＡ２、ｆＡ３およびｆＢ２がサブオーディネートセルである。また、同一バンド  Ａに含まれるセル、すなわちｆＡ１、ｆＡ２およびｆＡ３の組、および同一バンド  Ｂに含まれるセル、すなわちｆＢ１およびｆＢ２の組がセルセット（Ｃｅｌｌ  ｓｅｔ）である。【００３２】
また、基地局ｅＮＢ１とは異なる場所に設置された少なくとも１基の基地局、例えばｅＮＢ２においても同様の運用が行なわれ、ドミナントセル、サブオーディネートセル、セルセットが定義される場合、同じキャリアの組をセルレイヤ（Ｃｅｌｌ  ｌａｙｅｒ）と呼ぶ。すなわち、セルレイヤとは、中心周波数（ｃｅｎｔｅｒ  ｆｒｅｑｕｅｎｃｙ）と帯域幅（ｂａｎｄｗｉｄｔｈ）とが等しいセル同士をいう。【００３３】
図３では、ｅＮＢ１で運用されている、ｆＡ１、ｆＡ２、ｆＡ３、ｆＢ１およびｆＢ２と、ｅＮＢ２で運用されている、ｆＡ１、ｆＡ２、ｆＡ３、ｆＢ１およびｆＢ２とをそれぞれ組にしてセルレイヤと呼ぶ。【００３４】
基地局が複数のセクタを有する場合には、セクタ内でドミナントセル、サブオーディネートセル、セルセットが定義される。例えば基地局が３つのセクタを有し、各セクタがドミナントセルを１つ、サブオーディネートセルを３つ有する場合は、該基地局は全部で１２セルを有することとなる。なお、この場合も、セルレイヤは、中心周波数と帯域幅とが等しいセル同士をいう。従って、セルレイヤには、複数セクタ、複数基地局のセルが含まれる場合もある。特にネットワーク全域に渡って中心周波数と帯域幅とが等しいセルが複数基地局、複数セクタで運用された場合、これら全てのセルをまとめてセルレイヤと呼ぶ。【００３５】
ドミナントセルとサブオーディネートセルとの間では、トラヒックロードバランシングが重要になってくる。本実施例にかかる移動通信システムでは、移動局がアイドル状態からアクティブ状態に遷移する場合にＲＲＣコネクションの確立を行うために制御プレーンでのやり取りが行われるが、その制御プレーンでのやり取りのなかで、該移動局を必要に応じて他のキャリアに移行させる。【００３６】
次に、本実施例にかかる移動通信システムの動作について、図４を参照して説明する。本実施例においては、基地局１００が、１つのドミナントセルおよびサブオーディネートセルを運用する場合について説明するが、複数のドミナントセルおよびサブオーディネートセルが運用される場合においても適用できる。【００３７】
また、本実施例においては、移動局２００が待ち受けを行うドミナントセルを待ち受けセル、移動局２００が移行するセルを移行先セルと呼ぶ。この移行先セルは、ドミナントセルであってもよいしサブオーディネートセルであってもよい。また、基地局１００が、待ち受けセルを移行先セルとして選択する場合もあるが、本実施例においては、待ち受けセルと移行先セルとが異なる場合について説明する。また、基地局１００が、移動局２００が移行するセルレイヤを指定する場合についても同様に適用できる。この場合、移動局２００は、指定されたセルレイヤの中から適切なセルを選択する。【００３８】
着信時の動作について説明する。【００３９】
コアネットワークから送信されたデータは、アクセスゲートウエイ（ａＧＷ：  ａｃｃｅｓｓ  Ｇａｔｅｗａｙ）、すなわち上位局にバッファされる（ステップＳ４０２）。このアクセスゲートウエイは、論理ノードの場合には、ＭＭＥ／ＵＰＥと呼ばれ、ＭＭＥが制御プレーン（Ｃ−ｐｌａｎｅ）の論理ノード、ＵＰＥがユーザプレーン（Ｕ−Ｐｌａｎｅ）の論理ノードである。【００４０】
ＭＭＥは、移動局２００を呼び出す。ＭＭＥは、移動局が位置登録した情報を保持しているため、どの基地局にページングすればよいか分かっているため、その基地局にページングを送信する（ステップＳ４０４）。【００４１】
基地局１００では、ＭＭＥ／ＵＰＥから送信されたページングに基づいて、待ち受けセルが移動局に対してページングを行う。例えば、待ち受けセルは、ページングインジケータチャネルを送信し（ステップＳ４０６）、次に、ページングチャネルを送信する（ステップＳ４０８）。ページングチャネルには、国際移動加入者識別ＩＤ／（或いは）移動加入者識別ＩＤ（ＩＭＳＩ／ＴＭＳＩ：  ｉｎｔｅｒｎａｔｉｏｎａｌ  ｍｏｂｉｌｅ  ｓｕｂｓｃｒｉｂｅｒ  ｉｄｅｎｔｉｆｉｅｒ／ｔｅｍｐｏｒａｒｙ  ｍｏｂｉｌｅ  ｓｕｂｓｃｒｉｂｅｒ  ｉｄｅｎｔｉｆｉｅｒ）と、通信種別を示すｃａｕｓｅ  ＩＤなどが含まれる。【００４２】
ページングチャネルを受信した移動局２００は、自局のグローバルＩＤ、すなわちＩＭＳＩ／ＴＭＳＩが該ページングチャネルに含まれているか否かを判断し、含まれている場合に、待ち受けセルに、ランダムアクセルチャネル（ＲＡＣＨ：  Ｒａｎｄｕｍ  Ａｃｃｅｓｓ  ＣＨａｎｎｅｌ）によりアクセスする（ステップＳ４１０）。ＲＡＣＨには、例えば署名（ｓｉｇｎａｔｕｒｅ）、ＣＱＩ（Ｃｈａｎｎｅｌ  Ｑｕａｌｉｔｙ  Ｉｎｄｉｃａｔｏｒ）、目的（ｐｕｒｐｏｓｅ）の情報が含まれる。【００４３】
次に、待ち受けセルは、ＲＡＣＨに対する応答（ＲＡＣＨ  ｒｅｓｐｏｎｓｅ）を、移動局２００に送信する（ステップＳ４１２）。ＲＡＣＨ  ｒｅｓｐｏｎｓｅには、例えば署名、タイミング  アドバンス（ＴＡ：  Ｔｉｍｉｎｇ  Ａｄｖａｎｃｅ）、Ｃ−ＲＮＴＩ（ｃｅｌｌ  ｓｐｅｃｉｆｉｃ−Ｒａｄｉｏ  Ｎｅｔｗｏｒｋ  Ｔｅｍｏｒａｒｙ  ＩＤ）、ＵＬ  ｇｒａｎｔの情報が含まれる。【００４４】
ＲＡＣＨに対する応答に基づいて、コネクションリクエストが上りリンクで送信されるが、ＬＴＥでは、上りリンクにおいても共有チャネルを使ってスケジューリングが行われることが想定されている。基地局１００は、ＵＬ  ｇｒａｎｔとして、タイムフレームと周波数ブロックと情報量を指示する。周波数ブロックはリソースブロックと呼ばれることも、上りではリソースユニットと呼ばれることもある。上りリンクでは、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式が適用されるため、複数のサブキャリアのうちの所定のサブキャリアにより構成されるリソースユニットが用意され、これらのリソースユニットのうち、使用するリソースユニットが指示される。【００４５】
Ｃ−ＲＮＴＩは、移動局を識別するためのＲＡＮで使用されるＩＤである。【００４６】
タイミング  アドバンスについて説明する。ＵＬ  ｇｒａｎｔにより、上り共有チャネルで送信する、タイムフレームと周波数ブロックとが指示されるが、移動局のセル内における位置により、伝搬遅延が異なってくるため、同じタイミングで送信すると基地局１００で受信できるタイミングがずれ、時間軸上で、タイムフレームが前後でかぶってしまう虞がある。そこで、所定のタイムフレーム内に受信タイミングが収まるように、送信タイミングを調整する必要がある。その送信タイミングを調整するための情報をタイミング  アドバンスとよぶ。【００４７】
次に、移動局２００は、接続要求（Ｃｏｎｎ．  ｒｅｑｕｓｅｔ：  Ｃｏｎｎｅｃｔｉｏｎ  ｒｅｑｕｓｅｔ）を、待ち受けセルに送信する（ステップＳ４１４）。この接続要求には移動局の能力（ＵＥ  ｃａｐａｂｉｌｉｔｙ）、例えばバンド  Ａのみに対応しているのか、バンドＡおよびＢに対応しているのか、すなわち周波数帯域を示す情報が含まれる。さらに、移動局の能力として、送受信できる帯域幅を示す情報、例えば１０ＭＨｚであるのか２０ＭＨｚに対応するのかを示す情報が含まれるようにしてもよい。例えば、図５に示すように、移動局の能力の要素（ＵＥ  ｃａｐａｂｉｌｉｔｙ  ｉｎｆｏｒｍａｔｉｏｎ  ｅｌｅｍｅｎｔ）として、バンドの数、すなわち周波数帯域の数（Ｎｕｍｂｅｒ  ｏｆ  ｂａｎｄｓ）、バンド  インジケータ、すなわち各周波数帯域を示す情報、移動局の送受信できる帯域幅、例えば１０ＭＨｚであるのか２０ＭＨｚであるのかを示す情報が含まれる。【００４８】
次に、待ち受けセルは、接続要求（Ｃｏｎｎ．  ｒｅｑｕｓｅｔ：  Ｃｏｎｎｅｃｔｉｏｎ  ｒｅｑｕｓｅｔ）を、ＭＭＥ／ＵＰＥに送信する（ステップＳ４１６）。【００４９】
基地局１００は、移動局から通知された移動局の能力に基づいて、リダイレクトするセル、すなわち移行させるセルを選択する（ステップＳ４１８）。基地局１００は、能力を通知してきた移動局を他のセルレイヤに移行させた方がよいか否かを判断する。例えば、基地局１００は、自局により運用されている複数のセルのうち、各セルのトラヒックの状態、移動局の能力に基づいて、他のセルに移行させた方がよいか否かを判断する。【００５０】
基地局１００は、他のセルに移行させた方がよいと判断した場合、コネクションセットアップ  リダイレクション（ｃｏｎｎｅｃｔｉｏｎ  ｓｅｔｕｐ  ｒｅｄｉｒｅｃｔｉｏｎ）を、移動局２００に送信する（ステップＳ４２０）。このコネクションセットアップ  リダイレクションには、Ｃ−ＲＮＴＩ、ＩＭＳＩ／ＴＭＳＩ、リダイレクションセル（ｒｅｄｉｒｅｃｔｉｏｎ  ｃｅｌｌ）、同期インジケータ（ｓｙｎｃ  ｉｎｄｉｃａｔｏｒ）、移行先セルにおけるＣ−ＲＮＴＩ（ｎｅｗ  Ｃ−ＲＮＴＩ）、移行先セルにおけるＵＬ  ｇｒａｎｔが含まれる。【００５１】
待ち受けセルと移行先セルとでは、同じ基地局の配下であるので同期をとれる可能性が高い。同期状態であれば、移動局２００は、移行先セルに対して上りの送信を行うことができる。一方、周波数によって伝搬路が変化する環境では、同じタイミングで上りの送信を行うと移行先セルにおいて受信できない、すなわち同期がとれない場合がある。例えば、周波数によって使用するアンテナの配置が異なる基地局（例えば張出し構成を行う基地局など）が該当する。同期インジケータには、待ち受けセルと移行先セルとで同期がとれるか否かの情報が含まれる。【００５２】
一方、基地局１００が、他のセルに移行させない方がよいと判断した場合、コネクションセットアップ  リダイレクション（ｃｏｎｎｅｃｔｉｏｎ  ｓｅｔｕｐ  ｒｅｄｉｒｅｃｔｉｏｎ）を、移動局２００に送信するが（ステップＳ４２０）。このコネクションセットアップ  リダイレクションには、Ｃ−ＲＮＴＩ、ＩＭＳＩ／ＴＭＳＩが含まれ、リダイレクションセル（ｒｅｄｉｒｅｃｔｉｏｎ  ｃｅｌｌ）、同期インジケータ（ｓｙｎｃ  ｉｎｄｉｃａｔｏｒ）、移行先セルにおけるＣ−ＲＮＴＩ（ｎｅｗ  Ｃ−ＲＮＴＩ）、移行先セルにおけるＵＬ  ｇｒａｎｔが含まれない。【００５３】
以下、図４を参照して、待ち受けセルと移行先セルとで同期がとれる場合について説明する。【００５４】
移動局２００は、ステップＳ４２０において、コネクションセットアップ  リダイレクションを受信するが、このコネクションセットアップ  リダイレクションには、Ｃ−ＲＮＴＩ、ＩＭＳＩ／ＴＭＳＩが含まれ、リダイレクションセル、同期インジケータ、移行先セルにおけるＣ−ＲＮＴＩ（ｎｅｗ  Ｃ−ＲＮＴＩ）、移行先セルにおけるＵＬ  ｇｒａｎｔが含まれる。また、同期インジケータには同期を示す情報が含まれる（ステップＳ４２０）。【００５５】
移行することを通知された移動局２００は、今まで使用していた周波数を切替えて、移行先セルに、接続が完了したことを示すコネクションセットアップコンプリート（Ｃｏｎｎｅｃｔｉｏｎ  ｓｅｔｕｐ  ｃｏｍｐｌｅｔｅ）を送信する（ステップＳ４２２）。【００５６】
次に、ＮＡＳ（ｎｏｎ−Ａｃｃｅｓｓ  Ｓｔｒａｔｕｍ）手順が実行される（ステップＳ４２４）。ＮＡＳ手順は、上位ノードと移動局間で交わされる制御シーケンスで、例えば暗号化のパラメータなどが設定される。【００５７】
次に、待ち受けセルと移行先セルとで同期がとれない場合について、図６を参照して説明する。【００５８】
図６において、ステップＳ６０２からステップＳ６１８は、図４を参照して説明したステップＳ４０２からステップＳ４１８と同様であるためその説明を省略する。【００５９】
移動局２００は、ステップＳ５２０において、コネクションセットアップ  リダイレクションを受信するが、このコネクションセットアップ  リダイレクションには、Ｃ−ＲＮＴＩ、ＩＭＳＩ／ＴＭＳＩが含まれ、リダイレクションセル、同期インジケータ、移行先セルにおけるＣ−ＲＮＴＩ（ｎｅｗ  Ｃ−ＲＮＴＩ）、移行先セルにおけるＵＬ  ｇｒａｎｔが含まれる。また、同期インジケータには非同期を示す情報が含まれる（ステップＳ６２０）。【００６０】
移行することを通知された移動局２００は、今まで使用していた周波数を切替えて、移行先セルに、ＲＡＣＨによりアクセスする（ステップＳ６２２）。ＲＡＣＨには、署名（ｓｉｇｎａｔｕｒｅ）、ＣＱＩ（Ｃｈａｎｎｅｌ  Ｑｕａｌｉｔｙ  Ｉｎｄｉｃａｔｏｒ）、目的（ｐｕｒｐｏｓｅ）の情報が含まれる。【００６１】
次に、移行先セルは、ＲＡＣＨに対する応答（ＲＡＣＨ  ｒｅｓｐｏｎｓｅ）を、移動局２００に送信する（ステップＳ６２４）。ＲＡＣＨ  ｒｅｓｐｏｎｓｅには、署名、タイム  アドバンス、ＵＬ  ｇｒａｎｔの情報が含まれる。【００６２】
次に、移動局２００は、移行先セルにコネクションセットアップコンプリートを送信する（ステップＳ６２６）。【００６３】
次に、ＮＡＳ（ｎｏｎ−Ａｃｃｅｓｓ  Ｓｔｒａｔｕｍ）手順が実行される（ステップＳ６２８）。【００６４】
上述した手順のうち、ステップＳ４２０からステップＳ４２４およびステップＳ６２０からステップＳ６２８は一例であり、ステップＳ４１４およびステップＳ６１４において、移動局２００がコネクションリクエストに移動局の能力を示す情報を含めて送信する点、待ち受けセルにおいて、送信された移動局の能力を示す情報に基づいて、移行先セルを決定する点を除いて、適宜変更可能である。【００６５】
次に、発信の場合について説明する。【００６６】
この場合、上述したステップＳ４１０以降の処理が行われる。【００６７】
また、図４のステップＳ４１４、図６のステップＳ６１４において、移動局２００から移動局の能力を、待ち受けセルに通知する代わりに、ＭＭＥ／ＵＰＥに移動局の能力を記憶するようにし、下りのページングがある場合に、そのページングチャネルに移動局の能力含めて基地局１００に通知するようにしてもよい。移動局２００は、電源ＯＮにされるとアタッチと呼ばれるプロシージャが起動される。このアタッチプロシージャにおいて、ＭＭＥ／ＵＰＥに移動局の能力を記憶するようにする。【００６８】
また、ステップＳ４１６およびステップＳ６１６において、コネクションリクエストがＭＭＥ／ＵＰＥに送信されるが、このコネクションリクエストに対する応答として、ＭＭＥ／ＵＰＥから移動局２００の能力を、待ち受けセルに通知するようにしてもよい。【００６９】
このようにすることにより、移動局２００が送信するコネクションリクエストのビット数を低減することができる。【００７０】
次に、基地局１００における移行先セルの決定方法について、図７を参照して説明する。【００７１】
例えば、あるバンドで、Ａ、ＢおよびＣのキャリア（セル）が運用され、セルＡの帯域幅が２０ＭＨｚ、セルＢの帯域幅が１０ＭＨｚ、セルＣの帯域幅が５ＭＨｚである場合について説明する。残りの無線リソースの比は、セルＡ：セルＢ：セルＣ＝４：２．５：３であり、負荷状況はＡ>Ｂ>Ｃである。【００７２】
この状況で、基地局１００が決定する移行先セルの選択方法について説明する。【００７３】
ＬＴＥでは、移動局の最低の送受信能力が１０ＭＨｚに設定される。ＬＴＥでは、上述したようにセルの帯域幅として、１．２５ＭＨｚ、２．５ＭＨｚ、５ＭＨｚ、１０ＭＨｚ、１５ＭＨｚおよび２０ＭＨｚのバンド幅に適用できるシステムにすることが要求される。例えば、オペレータが２０ＭＨｚのライセンスを取れれば、２０ＭＨｚのバンド幅で運用する。【００７４】
この場合、１０ＭＨｚ以下の周波数帯、すなわち１．２５ＭＨｚ、２．５ＭＨｚおよび５ＭＨｚ、１０ＭＨｚの帯域幅で運用されているセルであれば、１０ＭＨｚの送受信能力を有する移動局は問題なく通信できる。しかし、２０ＭＨｚの帯域幅で運用されているセルでは、該２０ＭＨｚの帯域の一部分を使用して通信を行うことになる。【００７５】
したがって、２０ＭＨｚの送受信能力を有する移動局は、キャリアＡを選択するのが一番よい。キャリアＡは一番混んでいる、すなわち負荷状況が最も大きいが、残りの無線リソース量４を使用できる。したがって、キャリアＡを使用することにより、スループットが一番出る。次に、残りの無線リソースが２番目に大きいのはキャリアＣであるのでキャリアＣを選択するのがよい。最後に、キャリアＢが選択されるのがよい。【００７６】
一方、１０ＭＨｚの送受信能力しかない移動局は、キャリアＡを選択すると、残りの無線リソース量は４であるが、２０ＭＨｚの帯域幅で運用されているため、半分しか使用できず、実際２しか使用できない場合もある。したがって、この場合、キャリアＡの残り無線リソースは２とみなす必要がある。したがって、この場合、残りの無線リソースが３であるキャリアＣを選択するのが一番よい。次に、残りの無線リソースが２番目に大きいのはキャリアＢであるのでキャリアＢを選択するのがよい。最後に、キャリアＡが選択されるのがよい。【００７７】
また、１０ＭＨｚの送受信能力しかない移動局に対しては、キャリアＡの残りの無線リソース、キャリアＢの残りの無線リソースおよびキャリアＣの残りの無線リソースが２、２．５および３で判断され、キャリアＣの残りの無線リソース>キャリアＢの残りの無線リソース>キャリアＡの残りの無線リソースとなるため、キャリアＣが選択される。しかし、キャリアＣの帯域幅は５ＭＨｚであるので、帯域幅が１０ＭＨｚであるキャリアＣは、たまたま混んでいるだけで、少ししたら負荷が減ってくる可能性がある。したがって、残りの無線リソースの差がある所定値以下である場合には、広い帯域幅のキャリアを割り当てるようにしてもよい。この場合、残りの無線リソースが２．５と３程度の差であるので、キャリアＢを選択するようにしてもよい。【００７８】
上述したように、移動局の送受信能力が１０ＭＨｚであるのか２０ＭＨｚであるのかで、同じ負荷状況でも、選択するセルが変わってくる。【００７９】
次に、本実施例にかかる基地局１００の具体的構成について、図８を参照して説明する。【００８０】
本実施例では、一例として、基地局は、バンド  Ａで、セルｆＡ１、ｆＡ２およびｆＡ３を運用する場合について説明するが、基地局が複数のバンドを運用する場合、各バンドにおいて複数のセル（キャリア）を運用する場合に適用できる。ここでは、セルｆＡ１をドミナントセル、セルｆＡ２およびｆＡ３をサブオーディネートセルと呼ぶ。【００８１】
基地局１００は、アンテナを備える送受共用部１０２と、ドミナントセル処理部１０４と、サブオーディネート処理部１１６および１２４と、移行先セル決定部１２６と、制御プレーン処理部１２８と、ネットワーク  インターフェース１３０とを備える。ドミナントセル処理部１０４、サブオーディネート処理部１１６および１２４では、それぞれ、中心周波数がｆＡ１、ｆＡ２およびｆＡ３のキャリアが運用される。【００８２】
ドミナントセル処理部１０４は、ＲＦ回路１０６と、ユーザプレーン処理部１０８と、負荷測定部１１０とを備える。【００８３】
サブオーディネートセル処理部１１６および１２４は、それぞれ、ＲＦ回路１１０および１１８と、ユーザプレーン処理部１１２および１２０と、負荷測定部１１４および１２２とを備える。【００８４】
ドミナントセル処理部１０４は、移動局２００が待ち受けを行なう待ち受けセルに関する処理を行なう。また、ドミナントセル処理部１０４は、移動局の能力に基づいて決定される移行先セルに関する処理を行なう。【００８５】
サブオーディネートセル処理部１１６および１２４は、移動局の能力に基づいて決定される移行先セル（Ｒｅｄｉｒｅｃｔｅｄ  ｃｅｌｌ）に関する処理を行なう。【００８６】
ユーザプレーン処理部１０８、１１２および１２０は、所定の周期でそれぞれ負荷測定部１１０、１１４および１２２に対し、負荷測定を行うように指示する。【００８７】
負荷測定部１１０、１１４および１２２は、ユーザプレーン処理部１０８、１１２および１２０の指示に応じて、負荷測定を行い、その結果（負荷状況）を移行先セル決定部１２６に入力する。【００８８】
一方、移動局２００から送信された移動局の能力を示す情報が含まれるコネクションリクエストは送受共用部１０２を介して、ＲＦ回路１０６に受信され、制御プレーン処理部１２８に入力される。制御プレーン処理部１２８は、入力されたコネクションリクエストに含まれる移動局の能力を示す情報を抽出し、移行先セル決定部１２６に入力する。【００８９】
移行先セル決定部１２６は、負荷測定部１１０、１１４および１２２により入力された負荷状況および移動局２００により通知された移動局の能力を示す情報に基づいて、上述した方法により移動局２００を移行させるか否かを判定し、移行させる場合には移行先セルを決定し、その結果を制御プレーン処理部１２８に入力する。移行先セル決定部１２６は、移動局２００を移行させないと判断した場合には何もしない。【００９０】
また、移行先セル決定部１２６は、サービスに基づいて事前選択セルを選択するようにしてもよい。例えば、ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）を受信している場合、ＭＢＭＳが送信されているセル、或いは該セルが含まれるバンドに属する他のセルを、移行先セルとして選択する。例えば、待ち受けセルはｆＡ１で，ＭＢＭＳはｆＢ２でサービスが行われている場合、移行先セル決定部１２６は、ＭＢＭＳを受信し、かつユニキャストサービスを並行して受けたい場合には、ｆＡ２、ｆＡ３を選択した場合、ＭＢＭＳをｆＢ２で受けることは困難である。したがって、ｆＢ１を選択するか、ｆＢ２でＭＢＭＳのキャリアの中でユニキャストのサービスを受けるようにする。【００９１】
また、例えば、ＶｏＩＰ（Ｖｏｉｃｅ  ｏｖｅｒ  Ｉｎｔｅｒｎｅｔ  Ｐｒｏｔｏｃｏｌ）のユーザを同じバンド／キャリアに固めてしまうようにしてもよい。ＶｏＩＰは、低遅延が要求され、伝送レートが低い特徴を有する。このようなユーザに対して同じバンド／キャリアを選択するようにすることにより、無線効率を上げることができる。【００９２】
また、例えば、融通の利くサービス、すなわち多少遅延が生じてもサービスを維持できるサービス、例えばウエブブラウジング、ファイルダウンロードと、融通の利かないサービス、例えばＶｏＩＰ，ストリーミングとを全キャリアでバランスさせるように割り当てるようにしてもよい。【００９３】
また、プレミアムユーザに対してカバレッジのよいセルを選択させるようにしてもよい。例えば、２ＧＨｚ帯で運用されているセルと、８００ＭＨｚ帯で運用されているセルとでは、８００ＭＨｚ帯で運用されているセルの方が一般的に伝搬状態がよくなる。したがって、プレミアムユーザに対し、事前選択セルとして８００ＭＨｚ帯で運用されているセルを選択させるようにする。【００９４】
また、移行先セル決定部１２６は、トラヒックロードに基づいて移行先セルを選択するようにしてもよい。例えば、上述したように残りのリソース量、送信電力に基づいて移行先セルを選択する。また、例えば、上述したサービスのタイプ別のトラヒックロードに基づいて移行先セルを選択する。【００９５】
また、移行先セル決定部１２６は、移動局２００の移動速度に基づいて移行先セルを選択するようにしてもよい。例えば、高速移動している移動局であればセル数が少なく、セル半径の大きくカバレッジが大きいセルを移行先セルとする。一方、低速移動している移動局であれば、セル半径の小さく、セル数の多いレイヤを移行先セルとする。【００９６】
制御プレーン制御部１２８は、移行先セル決定部１２６により通知された移行先のセルを示す情報に基づいて、コネクションセットアップ  リダイレクションを作成し送信する。このコネクションセットアップ  リダイレクションには、Ｃ−ＲＮＴＩ、ＩＭＳＩ／ＴＭＳＩ、リダイレクションセル（ｒｅｄｉｒｅｃｔｉｏｎ  ｃｅｌｌ）、同期インジケータ（ｓｙｎｃ  ｉｎｄｉｃａｔｏｒ）、移行先セルにおけるＣ−ＲＮＴＩ（ｎｅｗ  Ｃ−ＲＮＴＩ）、移行先セルにおけるＵＬ  ｇｒａｎｔが含まれる。【００９７】
また、上述したように、ＭＭＥ／ＵＰＥにおいて移動局の能力が記憶される場合には、移動局の能力は、ネットワークインターフェース１３０を介して、移行先セル決定部１２６に入力される。【００９８】
次に、本実施例にかかる移動局２００の具体的構成について、図９を参照して説明する。【００９９】
移動局２００は、ＲＦ回路２０２と、制御プレーン処理部２０４と、移動局能力記憶部２０６とを備える。【０１００】
制御プレーン処理部２０４は、コネクションリクエストに、移動局能力２０６に記憶された自局の能力を示す情報を含めて送信する。【０１０１】
また、制御プレーン処理部２０４は、コネクションセットアップリダイレクションに含まれる情報に基づいて、自局が他のセルに移行されることが要求されているのか否かを判定し、要求されている場合、新たなＣ−ＲＮＴＩおよびＵＬ  ｇｒａｎｔに基づいて、移行先セルにコネクションセットアップ完了通知を送信する。【０１０２】
本実施例によれば、移動局は、自局の能力に基づいて基地局において決定された移行先セルに接続することができるため、ロードバランシングにおける移動局が待ち受け中に行なう周辺セルの測定の負荷を軽減することができる。【０１０３】
説明の便宜上、本発明を幾つかの実施例に分けて説明したが、各実施例の区分けは本発明に本質的ではなく、２以上の実施例が必要に応じて使用されてよい。発明の理解を促すため具体的な数値例を用いて説明したが、特に断りのない限り、それらの数値は単なる一例に過ぎず適切な如何なる値が使用されてよい。【０１０４】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。【０１０５】
本国際出願は、２００６年８月２２日に出願した日本国特許出願２００６−２２５９２８号に基づく優先権を主張するものであり、２００６−２２５９２８号の全内容を本国際出願に援用する。
【産業上の利用可能性】
【０１０６】
本発明にかかる基地局および移動局並びに移行先セル設定方法は、無線通信システムに適用できる。
【図１】
2008023613.tif 000003
【図２】
2008023613.tif 000004
【図３】
2008023613.tif 000005
【図４】
2008023613.tif 000006
【図５】
2008023613.tif 000007
【図６】
2008023613.tif 000008
【図７】
2008023613.tif 000009
【図８】
2008023613.tif 000010
【図９】
2008023613.tif 000011
【国際調査報告】
2008023613.tif 000012
2008023613.tif 000013
2008023613.tif 000014
2008023613.tif 000015